(57)【要約】【課題】フィルターをマスクの防塵布とは別体かつ立体形に形成して該防塵布に着脱自在とすることにより、該フィルター及びマスクの使用性を高める。【解決手段】マスク用のフィルター１を、柔軟性と通気性と微粒子の濾過性とを有する不織布製の１枚のシート２の左右両側端部を、該側端部に形成したスリット４に沿って折り重ねることによってフード形に形成し、このフィルター１を、衛生マスクの鼻及び口を覆う防塵布の内面に着脱自在とする。【選択図】　　　　図２
2004041504.tif 000002
【特許請求の範囲】
【請求項１】
柔軟性と通気性及び濾過性を有する１枚のシートを折り曲げることによってフード形に形成され、衛生マスクの鼻及び口を覆う防塵布の内面に着脱自在であることを特徴とする衛生マスク用立体フィルター。
【請求項２】
上記シートが不織布からなっていて、肌と接触する内面が毛羽立ちを防止した略平滑面に形成され、外面が毛羽立ち面とされていることを特徴とする請求項１に記載の立体フィルター。
【請求項３】
上記シートが、丸みを帯びた輪郭形状を有すると共に、その左右両端部にそれぞれ、端縁から内側に向かって一定長さ延びるスリット又は折線を有し、これらのスリット又は折線の位置でシート端部を、外側ほど重ね代が大きくなるように重ね合わせることにより、中央部が窪んだ上記フード形に形成されていることを特徴とする請求項１又は２に記載の立体フィルター。
【請求項４】
鼻及び口を覆う通気性ある防塵布と、この防塵布を顔面に装着するためのバンドとを備えたマスク本体、
柔軟性と通気性及び濾過性を有する１枚のシートを折り曲げることによってフード形に形成され、上記マスク本体における防塵布の内面に着脱自在の立体フィルター、
を有することを特徴とする衛生マスク。
【発明の詳細な説明】
【０００１】
【発明の属する技術分野】
本発明は、衛生マスクの鼻及び口を覆う防塵布の内面に装着して使用する立体フィルターと、このフィルターを備えた衛生マスクとに関するものである。
【０００２】
【従来の技術】
大気中に浮遊する塵埃や花粉などの有害な微粒子を吸い込まないようにする場合、一般に衛生マスクが使用されている。このマスクは、ガーゼ地や不織布等で形成された防塵布を備えていて、この防塵布で鼻及び口を覆うことにより、吸気中に含まれる塵埃や花粉等の微粒子を濾過するようにしており、より細かい微粒子を高精度に濾過する場合には、上記防塵布の内部に高性能のフィルターを内蔵し、このフィルターで濾過するようにしている。また、フィルターを内蔵した上記防塵布を顔面に適度の力で無理なくフィットさせるため、該防塵布をプラスチックなどの芯材によって立体形に形成したマスクも提案されている。
【０００３】
ところが、上述したように防塵布の内部にフィルターと芯材とを内蔵した立体形のマスクは、防塵性とフィット性に勝れるという利点はあるが、嵩張り易いために携帯に不便であり、フィルターの交換も困難であるといったような問題があった。また、使用中に防塵布の内面に口紅等の汚れが付着し易く、その汚れを落とすために洗濯すると、防塵布の形崩れや変形、フィルター性能の低下等を来し易いという問題もあった。
【０００４】
【発明が解決しようとする課題】
本発明の主要な課題は、フィルターを防塵布とは別体かつ立体形に形成して該防塵布に着脱自在とすることにより、該フィルター及びマスクの使用性を高めることにある。
【０００５】
【課題を解決するための手段】
上記課題を解決するため本発明によれば、柔軟性と通気性及び濾過性を有する１枚のシートを折り曲げることによってフード形に形成され、衛生マスクの防塵布の内面に着脱自在であることを特徴とする立体フィルターが提供される。
【０００６】
上記構成を有する立体フィルターは、必要時にマスクの防塵布に装着し、不使用時には該防塵布から取り外すことができるため、収納や携帯に便利であるばかりでなく、市販のマスクに対しても手軽に装着して使用することができ、使用性及び汎用性にも勝れる。しかも上記フィルターは、フード形に組み立てたまま扁平状に折り畳むか、あるいは扁平シート状に展開した状態で携帯することができるため、立体構造であっても嵩張ることがなく、携帯が容易である。また、フィルターが口紅等で汚れたり、微粒子を十分捕集して濾過機能が低下したような場合には、その交換を簡単に行うことができる。
【０００７】
本発明において好ましくは、上記シートが不織布からなっていて、肌と接触する内面が毛羽立ちを防止した略平滑面に形成され、外面が毛羽立ち面とされていることである。
【０００８】
本発明の具体的な構成態様によれば、上記シートが、丸みを帯びた輪郭形状を有すると共に、左右両端部にそれぞれ、端縁から内側に向かって一定長さ延びるスリット又は折線を有し、これらのスリット又は折線の位置でシート端部を、外側ほど重ね代が大きくなるように重ね合わせることにより、中央部が窪んだ上記フード形に形成されている。
【０００９】
また、本発明によれば、鼻及び口を覆う通気性ある防塵布と、この防塵布を顔面に装着するためのバンドとを備えたマスク本体、及び、柔軟性と通気性及び濾過性を有する１枚のシートを折り曲げることによってフード形に形成され、上記マスク本体における防塵布の内面に着脱自在の立体フィルター、を有することを特徴とする衛生マスクが提供される。
【００１０】
【発明の実施の形態】
図１及び図２は本発明に係る衛生マスク用立体フィルターの一実施例を示すもので、このフィルター１は、柔軟性と適度の通気性と微粒子の濾過性とを有する１枚の多孔質平面シート２を、立体形に折り曲げることにより、中央部に鼻及び口を覆うための窪み３を有するフード形に形成されている。
【００１１】
上記シート２を形成する素材としては、天然繊維や合成繊維等を機械的・化学的・熱的に処理し、それらを不規則に配列させたり絡合させたりして形成される不織布が適しているが、その他の素材であっても良い。
【００１２】
上記シート２は、図３に示すように、略楕円状又はそれに類似する輪郭形状を有していて、その左右両端部に、シート端縁から内側に向かって一定長さ延びるスリット４がそれぞれ形成されている。５は、鼻にフィットし易くするためにシート２の上縁中央部に形成した凹部である。そして上記シート２を、その左右両端部において、上記スリット４の両側のシート部分２ａ，２ｂを、該スリット４に沿った外側の部分ほど次第に重ね代が大きくなるように重ね合わせることにより、該シート２の外周を立ち上がらせ、それによって中央部が窪んだフード形の上記フィルター１が形成されている。
【００１３】
この際、上記両シート部分２ａ，２ｂを重合状態に保持させるため、一方のシート部分２ｂに係止孔６を設けると共に、他方のシート部分２ａの先端にフック７を設け、このフック７を上記係止孔６に嵌合、係止させるようにしている。従って、上記フック７を係止孔６から外すことにより、フィルター１を図３のように扁平状に展開することができる。また、フード形に組み立てたままのフィルター１を、図４に示すように、上記スリット４，４を結ぶラインに沿って２つに折り畳んで扁平化することもできる。
【００１４】
なお、上記シート２の形状は、上述したような略楕円状に限らず、顔面にフィットし易いその他の形状、例えば円形や、矩形の各角を丸くしたような形状、あるいはそれらに類似する形状といったような、全体として丸みを帯びた輪郭形状であれば良い。
【００１５】
上記フィルター１は、図８及び図９に示すように、マスク本体１０における防塵布１１の内面に装着し、このフィルター１で鼻及び口を覆った状態にして使用する。上記マスク本体１０は、ガーゼ地や不織布等の通気性ある柔軟性素材で形成された上記防塵布１１と、この防塵布１１を装着状態の保持するためのバンド１２，１２とを備えたもので、上記防塵布１１の内面に上記フィルター１が、窪み３を肌側に向けた状態で装着される。このとき、これらのフィルター１と防塵布１１とは、単に接触させておくだけで互いに固定する必要はないが、必要に応じて面ファスナーやピンなどの係止手段で相互に係止させても良い。また、上記防塵布１１は、実際の使用時には、図９に鎖線で示すように、フィルター１あるいは顔面の形状に沿って湾曲する。
【００１６】
かくしてマスク本体１０の防塵布１１の内面に上記フィルター１を装着することにより、このフィルター１で空気中の塵埃や花粉等が濾過され、吸気と共に吸い込まれるのが確実に防止される。この場合、上記フィルター１がフード形に湾曲していて、鼻及び口に強く圧接しないため、マスクをしたままでも会話を自由に行うことができる。また、上記フィルター１が口紅等で汚れたり、微粒子を十分捕集して濾過機能が低下したような場合には、該フィルター１だけを防塵布１１から取り外して簡単に交換することができる。更に、上記フィルター１を市販の衛生マスクにそのまま装着して使用することができるため、手軽で汎用性にも勝れる。
【００１７】
上記フィルター１の不使用時には、それをフード形に組み立てたまま図４に示すように扁平状に折り畳むか、あるいは、図３に示すように元のシート２の形に展開して携帯し、使用時に図１及び図２に示す立体フード形に戻してマスクの防塵布１１に装着すれば良い。このため、上記フィルター１やマスク本体１０がそれらの収納時や携帯時等に嵩張ることがない。
【００１８】
ここで、上記シート２を不織布で形成する場合、図５に示すように、肌と接触するフィルター内面側を、繊維の毛羽立ちを防止した略平滑面１５に形成することが望ましく、これにより、フィルターの肌ざわりを良くして風合いを高めることができる。この場合、フィルターの外面は、繊維が毛羽立った状態のままでであっても、内面と同様の平滑面であっても良い。
【００１９】
なお、上述したようにフィルターの内面を略平滑面に形成する方法としては、該フィルターを、図５に示すように、毛羽立ちの多い通常の素材１６の内側に、毛羽立ちの少ない素材１７を積層した２層構造にする方法や、単層構造の素材の内側面をエンボス加工等で固めて平滑面１５とする方法等がある。
【００２０】
図６及び図７は、平面シート２を立体化してフード形のフィルター１とする他の方法を示すものである。このうち図６においては、シート２の左右両側端部にそれぞれスリット４を形成すると共に、該スリット４の両側のシート部分２ａ，２ｂのうち一方のシート部分２ｂに面ファスナーからなる係止部材１９を取り付け、他方のシート部分２ａをこのシート部分２ｂ上に重ねて係止部材１９で重合状態に係止するようにしている。また、図７においては、シート２の左右両側端部にそれぞれ複数（３本）の折線２０を、外側にいくほど相互間の間隔が次第に広がるように形成し、これらの折線２０に沿ってシート端部を折り重ねるようにしている。この場合、折り重ねた部分を面ファスナー等からなる適宜の係止部材でその状態に係止することもできる。
【００２１】
上記各実施例では、フィルター１を形成するシート２の輪郭線２ｃが、該シート２の輪郭形状に沿った真っ直ぐな線に形成されているが、図１０に示すシート２のように、その輪郭線２ｄを、滑らかで細かい波形に形成することもできる。このような波形の輪郭線２ｄとすることにより、フィルター１の周縁を肌に柔軟かつ弾力的にしかも良くフィットした状態で接触させることができ、肌に接触痕が付くのを確実に防止することができる。なお、シート２の上部の鼻に接触する凹部５の位置では、輪郭線を波形に形成する必要はない。
【００２２】
【発明の効果】
このように本発明によれば、フィルターを必要時にマスクの防塵布に装着し、不使用時には該防塵布から取り外すことができるため、収納や携帯に便利であるばかりでなく、市販のマスクに対しても手軽に装着して使用することができ、使用性及び汎用性にも勝れる。しかも上記フィルターは、フード形に組み立てたまま扁平状に折り畳むか、あるいは扁平シート状に展開した状態で携帯することができるため、嵩張ることがなく、携帯が容易である。また、フィルターが口紅等で汚れたり、微粒子を十分捕集して濾過機能が低下したような場合には、その交換を簡単に行うことができる。
【図面の簡単な説明】
【図１】本発明に係る立体フィルターをフード形に組み立てた状態の正面図である。
【図２】図１のＡ−Ａ線での拡大断面図である。
【図３】図１のフィルターの展開図である。
【図４】図２のフィルターを２つに折り畳んだ状態の断面図である。
【図５】フィルターを構成するシートの構成を示す部分拡大断面図である。
【図６】フィルターの他の構成例を示す展開図である。
【図７】フィルターの更に他の構成例を示す展開図である。
【図８】フィルターを装着したマスクの正面図である。
【図９】図８のＢ−Ｂ線での断面図である。
【図１０】フィルターの他の構成例を示す展開図である。
【符号の説明】
１　　　フィルター
２　　　シート
２ｃ，２ｄ　　　輪郭線
４　　　スリット
１０　　　マスク本体
１１　　　防塵布
１２　　　バンド
１５　　　平滑面
２０　　　折線
【図１】
2004041504.tif 000003
【図２】
2004041504.tif 000004
【図３】
2004041504.tif 000005
【図４】
2004041504.tif 000006
【図５】
2004041504.tif 000007
【図６】
2004041504.tif 000008
【図７】
2004041504.tif 000009
【図８】
2004041504.tif 000010
【図９】
2004041504.tif 000011
【図１０】
2004041504.tif 000012